(57)【要約】【課題】血糖測定装置を提供する。【解決手段】キャリアと、前記キャリアに設置される測定ユニットと、前記キャリアに内設されると共に前記測定ユニットに電気的に接続される演算ユニットと、前記キャリアに内設されると共に前記演算ユニットに電気的に接続される表示ユニットと、前記キャリアに設置されると共に前記測定ユニット、前記演算ユニット、及び前記表示ユニットに電気的に接続される電源ユニットとを備える。前記血糖測定装置は、血糖の測定が簡単で、心理的負担や不快感がなく、精確性が高いという長所を有する。【選択図】図１
2018205289.tif 000002
【特許請求の範囲】
【請求項１】
キャリアと、
前記キャリアに設置される測定ユニットと、
前記キャリアに内設され、前記測定ユニットに電気的に接続される演算ユニットと、
前記キャリアに内設され、前記演算ユニットに電気的に接続される表示ユニットと、
前記キャリアに設置され、前記測定ユニット、前記演算ユニット、及び前記表示ユニットに電気的に接続される電源ユニットとを備えることを特徴とする血糖測定装置。
【請求項２】
前記キャリアはカップ体、容器、またはウェアラブルデバイスであることを特徴とする、請求項１に記載の血糖測定装置。
【請求項３】
前記測定ユニットはインピーダンス検測装置または血糖検知回路であることを特徴とする、請求項１に記載の血糖測定装置。
【請求項４】
前記電源ユニットは電池、蓄電池、またはリチウム電池であることを特徴とする、請求項１に記載の血糖測定装置。
【請求項５】
前記キャリアは前記電源ユニットに電気的に接続される接続ポートを有することを特徴とする、請求項１に記載の血糖測定装置。
【発明の詳細な説明】
【技術分野】
【０００１】
本発明は、血糖測定装置(blood sugar measuring apparatus)に関し、より詳しくは、血糖の測定が簡単で、心理的負担や不快感がなく、精確性が高い測定装置に関する。
【背景技術】
【０００２】
現代人は飲食が贅沢になったことで、高血糖、高血中脂質、高血圧という３高問題を抱えるようになった。血糖値が高いと糖尿病を発症する恐れがある。糖尿病は心血管疾患、卒中、慢性腎臓病、糖尿病性足病変、網膜症などの疾病を引き起こし、生活に困難をきたすことがある。
【０００３】
ゆえに、糖尿病患者や血糖値が高い者は毎日血糖値を測定しなければならない。従来の血糖測定方式は侵襲式及び非侵襲式の２つに分けられる。
【０００４】
また、侵襲式では、測定対象者の指先または身体に微小な傷口をつくり、傷口から血液を採集し、採集した血液から身体の血糖値を測定する。
【０００５】
なお、非侵襲式では、特定のスペクトルを有する光線を皮膚に投射し、その反射光により身体の血糖値を測定する。
【発明の概要】
【発明が解決しようとする課題】
【０００６】
ところが、前述した従来の侵襲式的血糖測定方式は、微小な傷口をつくるため、測定対象者にとって心理的負担や悪影響があった。非侵襲式血糖測定方式では、光線の屈折、投射角度、または透過率等の原因により、不精確になる問題が存在した。そこで、本発明者は上記の欠点が改善可能と考え、鋭意検討を重ねた結果、合理的設計で上記の課題を効果的に改善する本発明の提案に到った。
【０００７】
かかる従来の実情に鑑みて、本発明は、血糖測定装置を提供することを目的とする。すなわち、使用者が傷口をつくらずに済み、血糖測定が簡易化され、且つ精確性が高いという長所を有する。
【課題を解決するための手段】
【０００８】
上記目的を達成するため、本発明に係る血糖測定装置の特徴は、
キャリアと、
前記キャリアに設置される測定ユニットと、
前記キャリアに内設され、前記測定ユニットに電気的に接続される演算ユニットと、
前記キャリアに内設され、前記演算ユニットに電気的に接続される表示ユニットと、
前記キャリアに設置され、前記測定ユニット、前記演算ユニット、及び前記表示ユニットに電気的に接続される電源ユニットとを備える。
【発明の効果】
【０００９】
本発明は、唾液、体液、または汗等の人体の分泌物から人体の血糖値を測定可能であり、侵襲式の血糖測定装置による心理的恐怖や不快感を無くし、非侵襲式の血糖測定装置による不精確さを回避させる。よって、本発明は血糖の測定が簡単で、心理的負担や不快感がなく、精確性が高いという長所を有する。
【図面の簡単な説明】
【００１０】
【図１】本発明の第１実施形態に係る血糖測定装置を示す概略図である。
【図２】本発明の第２実施形態に係る血糖測定装置を示す概略図である。
【図３】本発明の血糖測定装置における測定ユニット、演算ユニット、電源ユニット及び表示ユニットを示す概略図である。
【発明を実施するための形態】
【００１１】
本発明における好適な実施の形態について、添付図面を参照して説明する。尚、以下に説明する実施の形態は、実用新案登録請求の範囲に記載された本発明の内容を限定するものではない。また、以下に説明される構成の全てが、本発明の必須要件であるとは限らない。
【００１２】
（第１実施形態）
以下、図面を参照して本発明に係る血糖測定装置の実施形態について説明する。図１は本発明の第１実施形態に係る血糖測定装置を示す概略図である。キャリア１０と、測定ユニット１１と、演算ユニット１２と、電源ユニット１３と、表示ユニット１４とを有する。
【００１３】
キャリア１０はカップ体または容器である。測定ユニット１１はキャリア１０の辺端箇所に設置される。演算ユニット１２及び表示ユニット１４はキャリア１０に内設される。電源ユニット１３はキャリア１０に内設されるかキャリア１０の外部に設置される。
【００１４】
測定ユニット１１は演算ユニット１２に電気的に接続される。演算ユニット１２は表示ユニット１４に電気的に接続される。測定ユニット１１、演算ユニット１２及び表示ユニット１４は電源ユニット１３に電気的に接続される。
【００１５】
本実施形態において、キャリア１０はカップ体または容器であるため、キャリア１０には水、茶、炭酸飲料、或いはコーヒー等の液体が入れられるが、これらに限定するわけではない。使用者がキャリア１０に入った液体を飲むと、使用者の下唇がキャリア１０の辺端箇所に位置される測定ユニット１１に接触する。
【００１６】
また、前記下唇は唾液等の人体の分泌物を有する。本実施形態において、測定ユニット１１は血糖検知回路である。測定ユニット１１は人体の分泌物を入力として、人体の分泌物が測定ユニット１１の表面材料との酸化還元反応を発生させ、且つ電圧低下が形成され、前記電圧低下が演算ユニット１２に伝送される。演算ユニット１２は前記電圧低下に基づいて使用者の体内の血糖値を算出させる。前記血糖値は表示ユニット１４に伝送され、表示ユニット１４に前記血糖値が表示され、使用者が体内の血糖値を知ることができる。
【００１７】
本実施形態において、測定ユニット１１がインピーダンス検測装置である場合、インピーダンス検測装置は検測電極を有する。上述の人体の分泌物が検測電極を覆うと、インピーダンス検測装置は検測電極によりインピーダンスを検測させ、前記インピーダンスが演算ユニット１２に伝送される。演算ユニット１２は前記インピーダンスに基づいて使用者の体内の血糖値を算出させる。前記血糖値は表示ユニット１４に伝送され、表示ユニット１４に前記血糖値が表示され、使用者が体内の血糖値を知ることができる。
【００１８】
本実施形態において、測定ユニット１１はセンサー及び血糖検知回路を有する。センサーにより使用者の身体の部位の圧力が感知され、電圧帰還が発生し、血糖検知回路が起動される。血糖検知回路は人体の分泌物を入力として、人体の分泌物が血糖検知回路の表面材料との酸化還元反応を生じさせ、且つ電圧低下が形成され、前記電圧低下が演算ユニット１２に伝送される。演算ユニット１２は前記電圧低下に基づいて使用者の体内の血糖値を算出させる。前記血糖値は表示ユニット１４に伝送され、表示ユニット１４に前記血糖値が表示され、使用者が体内の血糖値を知ることができる。
【００１９】
上述の酸化還元反応において、演算ユニット１２及び表示ユニット１４に必要な電力が電源ユニット１３から供給される。電源ユニット１３は電池、蓄電池またはリチウム電池である。キャリア１０には電源ユニット１３に電気的に接続される接続ポート（図示せず）が更に設置される。接続ポートはＵＳＢ（ユニバーサル・シリアル・バス、Universal Serial Bus）ポートである。接続ポートを介して電源ユニット１３に対する充電が行われる。
【００２０】
（第２実施形態）
図２は本発明の第２実施形態に係る血糖測定装置を示す概略図であり、図３は本発明の血糖測定装置における測定ユニット、演算ユニット、電源ユニット及び表示ユニットを示す概略図である。キャリア２０と、測定ユニット２１と、演算ユニット２２と、電源ユニット２３と、表示ユニット２４とを有する。
【００２１】
キャリア２０はブレスレット型、ネックレス型、腕時計型等のウェアラブルデバイスである。
【００２２】
測定ユニット２１はキャリア２０の一面に設置される。演算ユニット２２及び表示ユニット２４はキャリア２０に内設される。電源ユニット２３は前記キャリア２０に設置される。
【００２３】
測定ユニット２１は演算ユニット２２に電気的に接続される。演算ユニット２２は表示ユニット２４に電気的に接続される。測定ユニット２１、演算ユニット２２及び表示ユニット２４は電源ユニット２３に電気的に接続される。
【００２４】
上述したように、キャリア２０はウェアラブルデバイスであり、よって使用者はキャリア２０を手や首等の身体の部位に着用する。
【００２５】
測定ユニット２１は使用者の皮膚に接触し、皮膚が汗等の人体の分泌物を有する場合、測定ユニット２１が人体の分泌物に基づいてインピーダンスまたは電圧低下を生じさせ、演算ユニット２２がインピーダンスまたは電圧低下に基づいて血糖値を算出させる。前記血糖値が表示ユニット２４に表示され、使用者が体内の血糖値を知ることができる。
【００２６】
総合すると、本発明は唾液、体液、汗等の人体の分泌物を利用し、インピーダンスまたは電圧低下を発生させ、インピーダンスまたは電圧低下により使用者が体内の血糖値を知ることができる。これにより、従来の侵襲式の血糖測定方法のような心理的恐怖や不快感を与えない。また、従来の非侵襲式の血糖測定方法のように不精確にもならない。よって、本発明は、血糖の測定が簡単で、心理的負担や不快感がなく、精確性が高いという長所を有する。
【００２７】
以上、本発明の実施形態について図面を参照して詳述したが、具体的な構成はこの実施形態に限られるものではなく、本発明の要旨を逸脱しない範囲の設計変更等も含まれる。
【符号の説明】
【００２８】
１０  キャリア
１１  測定ユニット
１２  演算ユニット
１３  電源ユニット
１４  表示ユニット
２０  キャリア
２１  測定ユニット
２２  演算ユニット
２３  電源ユニット
２４  表示ユニット
【図１】
2018205289.tif 000003
【図２】
2018205289.tif 000004
【図３】
2018205289.tif 000005
【手続補正書】
【提出日】平成30年9月5日(2018.9.5)
【手続補正１】
【補正対象書類名】特許請求の範囲
【補正対象項目名】全文
【補正方法】変更
【補正の内容】
【特許請求の範囲】
【請求項１】
キャリアと、
前記キャリアに設置される測定ユニットと、
前記キャリアに内設され、前記測定ユニットに電気的に接続される演算ユニットと、
前記キャリアに内設され、前記演算ユニットに電気的に接続される表示ユニットと、
前記キャリアに設置され、前記測定ユニット、前記演算ユニット、及び前記表示ユニットに電気的に接続される電源ユニットとを備え、
唾液から、前記測定ユニットは相当するインピーダンス値を取得し、次いで前記インピーダンス値が前記演算ユニットに送信されて、前記演算ユニットが前記インピーダンス値に基づいて人間の体内の血糖レベルを演算することを特徴とする血糖測定装置。
【請求項２】
前記キャリアはカップ体、容器、またはウェアラブルデバイスであることを特徴とする、請求項１に記載の血糖測定装置。
【請求項３】
前記測定ユニットはインピーダンス検測装置であることを特徴とする、請求項１に記載の血糖測定装置。
【請求項４】
前記電源ユニットは電池、蓄電池、またはリチウム電池であることを特徴とする、請求項１に記載の血糖測定装置。
【請求項５】
前記キャリアは前記電源ユニットに電気的に接続される接続ポートを有することを特徴とする、請求項１に記載の血糖測定装置。